(57)【要約】      （修正有）【課題】組立時に火傷防止用のガードユニットを容易に屈曲させて、ガード取り付けユニットの前面だけでなしに、上下の側面をも覆って取り付けできるようにして、ガード取り付けユニットの露出量を少なくして火傷などを防止できるようにした暖房機用保護ガードを提供する。【解決手段】温風吹出口と略平行に配設される金属製の前面ガードユニット部２１と、この前面ガードユニット部２１の上下端に配置される上面側ガードユニット部２２及び下面側ガードユニット部２３との前側表面の周りをそれぞれシリコンゴム材２６で覆うとともに、前面ガードユニット部２１と上面側ガードユニット部２２との間と前面ガードユニット部２１と下面側ガードユニット部２３との間をそれぞれシリコンゴム材２６で連結して一体化してなるガードユニット１２を備える。【選択図】図３
0003201116.tif 000002
【実用新案登録請求の範囲】
【請求項１】
温風吹き出し型暖房機の温風吹出口にガード取り付けユニットを介して取り付けられる縦格子状に形成されたガードユニットを備えてなる暖房機用保護ガードであって、
前記ガードユニットは、前記ガード取り付けユニットを覆って取り付けられ、
前記温風吹出口と略平行に配設される金属製の前面ガードユニット部と、
該前面ガードユニット部の上下端位置に、それぞれ該前面ガードユニット部に対し外側へ拡開傾斜し、前記前面ガードユニット部と共に断面概略台形状にして配設される各々金属製の上面側ガードユニット部及び下面側ガードユニット部と、
前記前面ガードユニット部と前記上面側ガードユニット部及び前記下面側ガードユニット部の少なくとも前側表面の周りを覆うとともに前記前面ガードユニット部と前記上面側ガードユニット部との間と前記前面ガードユニット部と前記下面側ガードユニット部との間をそれぞれ連結して一体化してなるシリコンゴム材と、
を備える、ことを特徴とする暖房機用保護ガード。
【請求項２】
前記前面ガードユニット部と前記上面側ガードユニット部との間の傾斜角と前記前面ガードユニット部と前記下面側ガードユニット部との間の傾斜角が、概略１１０〜１５０度であることを特徴とする請求項１に記載の暖房機用保護ガード。
【請求項３】
前記ガード取り付けユニットが、左右幅方向の長さを調整して前記暖房機に取り付け可能である、ことを特徴とする請求項１又は請求項２に記載の暖房機用保護ガード。
【請求項４】
前記シリコンゴム材は、水平断面視において、概略円状に形成された中心部分と、該中心部分の少なくとも前側外周面を前方向に先細状に湾曲させてなる突出部分を、一体に有してなる、ことを特徴とする請求項１から請求項３のいずれか１項に記載の暖房機用保護ガード。
【考案の詳細な説明】
【技術分野】
【０００１】
本考案は暖房機用保護ガードに関するものであり、特に、ファンヒータなどの温風吹き出し型暖房機の温風吹出口に取り付けられ、火傷などを防止する暖房機用保護ガードに関するものである。
【背景技術】
【０００２】
石油やガスなどを使用した温風吹き出し型暖房機は、室内の空気を燃焼する可搬タイプが主流となっており、コンパクトでありながら室内を暖めるのに十分な能力を備えている。そのため、暖房機は使用中における熱源部分がかなり高温となり、温風吹出口のルーバーである金具も高温となる。したがって、幼児などが誤ってルーバーに触れた場合には火傷をする虞があった。
【０００３】
そこで、近年、この問題を解決するものとして、暖房機の温風吹出口に暖房機用保護ガードを取り付け、温風吹出口のルーバーに直接触れて火傷をするのを防止するようにした手段が提案されている（例えば、特許文献１参照）。
【０００４】
特許文献１に開示される暖房機用保護ガード６０は、図７に示すように、暖房機５１の高温のホットゾーンが形成される温風吹出口５２の前面におけるルーバーを覆うようにして、暖房機５０の枠体５３に固定して取り付けられるガード取り付けユニット７０と、そのガード取り付けユニット７０を介して温風吹出口５２におけるルーバーの前面を覆って取り付けられるガードユニット８０とからなる。
【０００５】
更に詳述すると、前記ガード取り付けユニット７０は、金属棒で形成されており、温風吹出口５２の前方における上下、左右の各側面をそれぞれ覆う縦格子状をした側面ガード部７０ｂ、７０ｃ、７０ｄ、７０ｅと、これらの各側面ガード部７０ｂ〜７０ｅと連結されて温風吹出口５２の前面を覆う被う縦格子状の前面ガード部７０ａとを一体に有して、断面が概略台形状に形成されている。
【０００６】
一方、前記ガードユニット８０は、熱伝導率が低いシリコンゴムチューブで外周が覆われた金属棒を、等間隔の縦格子状に形成して、該前面ガード部７０ａの前面に固定して取り付けられている。
【先行技術文献】
【特許文献】
【０００７】
【特許文献１】実用新案登録第３１５３１５７号公報。
【考案の概要】
【考案が解決しようとする課題】
【０００８】
上述したように、特許文献１に記載されている従来の暖房機用保護ガード６０におけるガードユニット８０は、前記ガード取り付けユニット７０の前面ガード部７０ａの前面にだけ取り付けられており、上下及び左右の側面ガード部７０ｂ〜７０ｅには取り付けられていない。しかしながら、使用中におけるガード取り付けユニット７０の温度は、実験によると１００℃前後となる。このため、幼児などが誤ってガード取り付けユニット７０の前面方向から触れた場合にはガードユニット８０で防御されて火傷をする心配はない。しかし、上下及び左右方向から触れた場合には、側面ガード部７０ｂ〜７０ｅに直接触れて火傷をする心配がある。
【０００９】
そこで、ガードユニット８０を前面ガード部７０ａ側だけなく、上下の側面ガード部７０ｂ,７０ｃ、及び、左右の側面ガード部７０ｄ,７０ｅにも、同じようにガードユニット８０を取り付け、ガード取り付けユニット７０の露出量を少なくすることも考えられる。
【００１０】
しかしながら、ガードユニット８０を、前面ガード部７０ａだけなく、上下の側面ガード部７０ｂ,７０ｃ、及び、左右の側面ガード部７０ｄ,７０ｅにも取り付けるとなると、上下の側面ガード部７０ｂ、７０ｃ、及び、左右の側面ガード部７０ｄ,７０ｅは、それぞれ前面ガード部７０ａに対して斜めに屈曲されている。そのため、上下の側面ガード部７０ｂ,７０ｃ及び左右の側面ガード部７０ｄ,７０ｅに取り付けられるガードユニット部分は、前面ガード部７０ａに取り付けられるガードユニット部分に対し、斜めに折曲させて形成する必要が生じる。
【００１１】
しかしながら、単に、一枚に形成した大きなガードユニットを必要に応じて折曲させ、前面部及び側面部を形成した場合では、その成形時に金属棒を覆っているシリコンゴムチューブが切れる虞や、また、所定の形状に折曲成形をするのが難しいという問題点があった。
【００１２】
そこで、本考案は上記問題点に鑑みなされたものであり、組立時に火傷防止用のガードユニットを容易に折曲させて、ガード取り付けユニットの前面だけでなしに、上下の側面も覆って取り付けできるようにすることにより、ガード取り付けユニットの露出量を少なくして火傷などを防止できるようにした暖房機用保護ガードを提供することを目的としている。
【課題を解決するための手段】
【００１３】
本考案は上記目的を達成するために提案されたものであり、請求項１に係る本考案は、温風吹き出し型暖房機の温風吹出口にガード取り付けユニットを介して取り付けられる縦格子状に形成されたガードユニットを備えてなる暖房機用保護ガードであって、前記ガードユニットは、前記ガード取り付けユニットを覆って取り付けられ、前記温風吹出口と略平行に配設される金属製の前面ガードユニット部と、該前面ガードユニット部の上下端位置に、それぞれ該前面ガードユニット部に対し外側へ拡開傾斜し、前記前面ガードユニット部と共に断面概略台形状にして配設される各々金属製の上面側ガードユニット部及び下面側ガードユニット部と、前記前面ガードユニット部と前記上面側ガードユニット部及び前記下面側ガードユニット部の少なくとも前側表面の周りを覆うとともに前記前面ガードユニット部と前記上面側ガードユニット部との間と前記前面ガードユニット部と前記下面側ガードユニット部との間をそれぞれ連結して一体化してなるシリコンゴム材と、を備えることを特徴とする。
【００１４】
この構成によれば、
（１）ガードユニットの金属製の前面ガードユニット部と上面側ガードユニット部及び下面側ガードユニット部の各前側表面は、熱伝導率が低いシリコンゴム材で覆われている。
（２）また、前面ガードユニット部と上面側ガードユニット部の間と、前面ガードユニット部と下面側ガードユニット部との間もそれぞれシリコン材で連結されて前面ガードユニット部と上面側ガードユニット部と下面側ガードユニット部とが一体化され、これらを一体にして取り扱うことができる。
（３）そして、前面ガードユニット部に上面側ガードユニット部と下面側ガードユニット部をそれぞれ連結しているシリコンゴム材の連結部を各々屈曲（折曲）させると、上面側ガードユニット部及び下面側ガードユニット部がそれぞれ前面ガードユニット部に対して傾斜され、断面概略台形状をしたガードユニット部を容易に形成することができる。
（４）また、上面側ガードユニット部及び下面側ガードユニット部を設けることにより、金属材で形成されるガード取り付けユニットの上下の露出量を少なくすることができて安全性が図れるとともに、保護ガード全体が見た目にもコンパクトになる。
【００１５】
請求項２に係る本考案は、前記前面ガードユニット部と前記上面側ガードユニット部との間の傾斜角と前記前面ガードユニット部と前記下面側ガードユニット部との間の傾斜角が、概略１１０〜１５０度である、構成となっている。
【００１６】
この構成によれば、見た目が、よりコンパクト化された、断面概略台形状をしたガードユニットが得られる。
【００１７】
請求項３に係る本考案は、前記ガード取り付けユニットが、左右幅方向の長さを調整して前記暖房機に取り付け可能である、構成となっている。
【００１８】
この構成によれば、暖房機の左右幅方向の長さが異なった場合でも、ガード取り付けユニットの幅方向の長さを調整して、暖房機の左右幅方向の長さに合うようにして取り付け、使用することができるので互換性が向上する。
【００１９】
請求項４に係る本考案は、前記シリコンゴム材が、水平断面視において、概略円状に形成された中心部分と、該中心部分の少なくとも前側外周面を前方向に先細状に湾曲させてなる突出部分を、一体に有してなる、構成となっている。
【００２０】
この構成によれば、中心部分の前側外周面に設けた先細状に湾曲している突出部分は、幼児などが前側からガードユニットに接触したとき、その先細状になった突出部分で受けて接触面積を少なくし、火傷をしにくくする。
【考案の効果】
【００２１】
本考案によれば、前面ガードガードユニット部と、該ガードユニット部から連続して連続して折り曲げられた上面側ガードユニット部及び下面側ガードユニット部とを一体に設けることにより、金属材で形成されるガード取り付けユニットの上下の露出量を少なくすることができる。したがって、幼児などがガード取り付けユニットの前面と上面及び下面に誤って触れて火傷をするのを防止することができ、安全性の向上が図れる。また、前面ガードユニット部と上面側ガードユニット部と下面側ガードユニット部との間を屈曲が容易なシリコンゴム材で各々連結して一体化しており、そして、ガードユニットをガード取り付けユニットに組み込む時には、シリコンゴム材の部分でガードユニットを屈曲（折曲）させて断面概略台形状をしたガードユニット部にすることができるので、組立作業が容易になり、コスト低減化に寄与する。さらに、保護ガード全体が見た目にもコンパクトとなり、美観も向上する。
【図面の簡単な説明】
【００２２】
【図１】本考案に係る暖房機用保護ガードを装着した暖房機の全体斜視図である。
【図２】本考案に係る暖房機用保護ガードを示す斜視図である。
【図３】本考案に係る暖房機用保護ガードのガードユニットの組み込み状態を示す斜視図である。
【図４】同上ガードユニットの形成手順を説明する図で、（ａ）は鉄線ガード形成工程、（ｂ）は鉄線ガード一体化工程、（ｃ）は屈曲成形工程を説明する図である。
【図５】ガードユニット部の一部を水平に断面した拡大図で、（ａ）縦バーの部分を断面した図、（ｂ）は連結部の部分を断面した図である。
【図６】ガードユニット部の変形例を説明する図である。
【図７】従来の暖房機用保護ガードを装着した暖房機の全体斜視図である。
【考案を実施するための形態】
【００２３】
以下、本考案を実施するための形態(以下、「実施形態」という)を、添付図面に基づいて詳細に説明する。なお、以下の説明では、上下や左右などの方向を示す表現は、絶対的なものではなく、本考案の暖房機用保護ガードの各部が描かれている姿勢である場合に適切であるが、その姿勢が変化した場合には姿勢の変化に応じて変更して解釈されるべきものである。
【００２４】
図１は本考案に係る暖房機用保護ガードの使用例を示す斜視図であり、その暖房機用保護ガード１０は、詳細は後述するが、温風吹出型の暖房機１の前面に開設した温風吹出口２に対応して、暖房機１の枠体３にマグネット４,４の磁気吸着で脱着可能に固定されるものである。なお、暖房機用保護ガード１０の枠体３への固定は、マグネット４，４の磁気吸着による固定に変えて、例えば枠体３側に設けた図示しない固定部材をゴムクリップで挟んで固定する、あるいはねじ締めにより固定するなどの方法を用いることも可能である。
【００２５】
前記暖房機用保護ガード１０は、図１及び図２に示すように、ガード取り付けユニット１１と、そのガード取り付けユニット１１に取り付けられるガードユニット１２から構成されている。そのガードユニット１２は、暖房機１の温風吹出口２から温風が偏在的に吹き出されるルーバーが設けられている周辺、及び、その温風吹出口２の周辺に拡がって形成される高温のホットゾーンの領域だけを覆うようにして配設され、また温風の吹き出しの妨げとならないようにして構成されている。
【００２６】
前記ガード取り付けユニット１１は金属製であり、上下１対の水平ガイド基板１３,１３と、その水平ガイド基板１３，１３を連結支持している正面視が水平方向に細長矩形状をして形成されている固定枠体１４と、左右１対のスライド枠体１５,１５と、固定枠体１４の左右両端部にそれぞれ固定して取り付けられた固定枠体１６,１６などから構成されており、温風吹出口２の外側前面を囲って配設される。
【００２７】
前記上下１対の水平ガイド基板１３,１３の内面には、前記左右１対のスライド枠体１５,１５における上下のアーム部１５ａ,１５ａの一端側を、それぞれ水平方向（暖房機１の左右幅方向）にスライド可能に支持している図示しないガイド部が設けられており、そのガイド部の案内により前記左右１対のスライド枠体１５,１５はそれぞれ水平方向にスライドされて、ガード取り付けユニット１１における左右幅方向の長さを任意に調整することができるようになっている。
【００２８】
一方、前記左右１対のスライド枠体１５,１５における上下のアーム部１５ａ,１５ａの他端側は、暖房機１の左右の側面に沿って概略直角に暖房機１側（後方）へ屈曲（折曲）されており、更に縦方向に延びる連結部１５ｂ,１５ｃで連結されて、その上下のアーム部１５ａ,１５ａが互いに一体化されている。また、連結部１５ｂ,１５ｃには、前記マグネット４が各々取り付けられている。
【００２９】
また、左右の前記固定枠体１６,１６は、温風吹出口２と略平行に配置される天面部１６ａと、その天面部１６ａの上下端の位置からそれぞれ略１１０〜１５０度の角度で外側に拡開傾斜している上下１対の傾斜部１６ｂ,１６ｂと、その上下の傾斜部１６ｂ,１６ｂを連結している概略コ字状をした連結部１６ｃとを一体に有して、側面視が概略五角形をしたサイド枠体として形成されている。さらに、左右の固定枠体１６,１６には、ガードユニット１２を取り付ける固定ネジ１７を螺合するための取付ネジ孔（図示せず）を設けてなる板状の取付ブラケット１８が、天面部１６ａと１対の傾斜部１６ｂ,１６ｂにそれぞれ１個ずつ固定して設けられている。
【００３０】
そして、このように構成された前記ガード取り付けユニット１１は、左右のスライド枠体１５，１５を水平方向（暖房機１の左右方向）にスライドさせて、そのスライド枠体１５,１５に取り付けられた左右のマグネット４,４が暖房機１の左右の側面に当接するように水平方向の長さを調整し、その左右のマグネット４,４を暖房機１の左右の側面にそれぞれ磁気吸着させると、暖房機１に着脱自在に固定することができる。
【００３１】
前記ガードユニット１２は、図１〜図３に示すように、温風吹出口２と略平行に配設される金属製の前面ガードユニット部２１と、前面ガードユニット部２１の上下端位置にそれぞれ前面ガードユニット部２１に対し外側へ拡開傾斜し、該前面ガードユニット部２１と共に断面概略台形状にして配設される各々金属製の上面側ガードユニット部２２及び下面側ガードユニット部２３と、前面ガードユニット部２１と上面側ガードユニット部２２及び下面側ガードユニット部２３の少なくとも前側表面の周りをそれぞれ覆うとともに、前面ガードユニット部２１と上面側ガードユニット部２２との間と前面ガードユニット部２１と下面側ガードユニット部２３との間をそれぞれ連結部２６ａで連結して一体化してなる熱伝導率の低いシリコンゴム材２６などで構成されている。
【００３２】
図４は、ガードユニット１２の構造及び形成手順を示している図で、（ａ）は鉄線ガードを各々形成してなる鉄線ガード成形工程における図、（ｂ）は鉄線ガードを一体化してなる鉄線ガード一体化工程における図、（ｃ）は屈曲成形してなる工程における図である。図４を用いて図１〜図３に示すガードユニット１２の構造をその形成工程と共に次に説明する。
【００３３】
まず、前記前面ガードユニット部２１、上面側ガードユニット部２２、下面側ガードユニット部２３の各々は、シリコンゴム材２６で被覆されてないとき、図４の（ａ）に示すように、水平に配置される上下１対の金属棒材（以下、これを「横バー」という）２１ａ,２１ｂ、２２ａ,２２ｂ、２３ａ,２３ｂと、これら上下１対の横バー２１ａ,２１ｂ、２２ａ,２２ｂ、２３ａ,２３ｂを連結している複数本（本実施例では２０本）の金属棒（以下、これを「縦バー」という）２１ｃ,２２ｃ,２３ｃとで、それぞれ縦格子状をした鉄線ガード２１Ａ,２２Ａ,２３Ａとして形成されている。なお、横バー２１ａ,２１ｂ、２２ａ,２２ｂ、２３ａ,２３ｂに対する縦バー２１ｃ,２２ｃ,２３ｃの取付位置関係は、縦バー２１ｃ,２２ｃ,２３ｃが横バー２１ａ,２１ｂ、２２ａ,２２ｂ、２３ａ,２３ｂの前側（暖房機１から遠ざかる側）で、横バー２１ａ,２１ｂ、２２ａ,２２ｂ、２３ａ,２３ｂに重なるようにして各々配置され、更に横バー２１ａ,２１ｂ、２２ａ,２２ｂ、２３ａ,２３ｂと縦バー２１ｃ,２２ｃ,２３ｃとの間が溶接などにより固定されて一体化されている。また、鉄線ガード２１Ａ,２２Ａ,２３Ａには、前記ガード取り付けユニット１１の前記取付ブラケット１８に各々対応して、同じく板状をした取付ブラケット２４が設けられている。その各取付ブラケット２４には、取付ブラケット１８の前記ネジ孔に対応して、取付孔２５が設けられている。
【００３４】
そして、ガードユニット１２を形成するに当たっては、図４の（ａ）に示すように縦格子状に形成された鉄線ガード２１Ａ,２２Ａ,２３Ａを図示しない射出成型機内に、その縦バー２１ｃ,２２ｃ,２３ｃが縦方向を向いて、また互いに一列に並ぶようにして、鉄線ガード２１Ａの上下端位置にそれぞれ鉄線ガード２２Ａ及び鉄線ガード２３Ａを隣接させて配置する。すなわち、鉄線ガード２１Ａの横バー２１ａに鉄線ガード２２Ａの横バー２２ｂが平行に配置されて、鉄線ガード２１Ａと鉄線ガード２２Ａとが隣接し、鉄線ガード２１Ａの横バー２１ｂに鉄線ガード２３Ａの横バー２３ａが平行に配置されて、鉄線ガード２１Ａと鉄線ガード２３Ａとが隣接する。
【００３５】
次に、射出成型機内にシリコンゴム材２６が注入され、その射出成型機内で図４の（ｂ）に示すように、シリコンゴム材２６が鉄線ガード２１Ａ,２２Ａ,２３Ａの各縦バー２１ｃ,２２ｃ,２３ｃの外周全面をそれぞれ覆うとともに、互いに隣接する鉄線ガード２１Ａの縦バー２１ｃと鉄線ガード２２Ａの縦バー２２ｃとの間、及び、鉄線ガード２１Ａの縦バー２１ｃと鉄線ガード２３Ａの縦バー２３ｃとの間に、これらの間をそれぞれ屈曲（折曲）自在に連結した連結部２６ａが設けられる。これにより、図４の（ｂ）に示す、前面ガードユニット部２１と上面側ガードユニット部２２と下面側ガードユニット部２３が一体化されてシート状をしたガードユニット１２が形成される。図５の（ａ）はシリコンゴム材２６が覆った後の各縦バー２１ｃ,２２ｃ,２３ｃを水平に断面した図であり、図５の（ｂ）は各連結部２６ａを水平に断面した図である。また、図５の（ａ），（ｂ）に示すように、水平に断面されたシリコンゴム材２６は、その水平断面視された断面形に、概略円状に形成された中心部分１２６と、その中心部分１２６における前側外周面及び後側外周面の一部をそれぞれ前及び後方向に先細状に湾曲させてなる突出部分２２６，２２６を一体に有している。その突出部分２２６は、少なくとも中心部分１２６の前側外周面側に設けられていればよい。そして、先細状に湾曲させてなる突出部分２２６を設けることにより、幼児などが前側からガードユニット１２に接触したとき、その突出部分２２６の先細状に湾曲させてなる面で受けて、ガードユニット１２との接触面積を少なくして火傷をしにくくしている。
【００３６】
更に詳述すると、成形後の各縦バー２１ｃ,２２ｃ,２３ｃは、図５の（ａ）に示すように水平断面が概略円管状をしたシリコンゴム材２６の中心部分１２６内に心材として埋め込まれて（インサートされて）、全周がシリコンゴム材２６で覆われた状態となっている。一方、各連結部２６ａは、中心部分１２６内に心材としての縦バー２１ｃ,２２ｃ,２３ｃを持たずにシリコンゴム材２６だけで断面概略円柱状に形成された状態になる。すなわち、各連結部２６ａには心材となる各縦バー２１ｃ,２２ｃ,２３ｃを埋め込んでいないので、この連結部２６ａでの屈曲（折曲）が容易になっている。なお、シリコンゴム材２６が各縦バー２１ｃ,２２ｃ,２３ｃを覆うのは、全周はではなく少なくとも、例えば図６に示すように表面（暖房機１と反対側の面）及び左右の両側面を覆った構造にしてもよい。
【００３７】
また、本実施例のシリコンゴム材２６は、各縦バー２１ｃ,２２ｃ,２３ｃの表面（暖房機１と反対側の面）及び左右の両側面を覆い、横バー２１ａ,２１ｂ、２２ａ,２２ｂ、２３ａ,２３ｂの表面は覆っていない構造を開示している。これは、本実施例のガードユニット１２においては、縦バー２１ｃ,２２ｃ,２３ｃは横バー２１ａ,２１ｂ、２２ａ,２２ｂ、２３ａ,２３ｂの前面側上、すなわち横バー２１ａ,２１ｂ、２２ａ,２２ｂ、２３ａ,２３ｂの前側に取り付けられている。この場合、幼児などがガードユニット１２に接触するとき、縦バー２１ｃ,２２ｃ,２３ｃには接触するが横バー２１ａ,２１ｂ、２２ａ,２２ｂ、２３ａ,２３ｂには接触することが少ないことによるもので、これにより横バー２１ａ,２１ｂ、２２ａ,２２ｂ、２３ａ,２３ｂを覆うのを省略している。しかし、必要によっては、横バー２１ａ,２１ｂ、２２ａ,２２ｂ、２３ａ,２３ｂの表面もシリコンゴム材２６で覆うようにしてもよい。
【００３８】
このように前面ガードユニット部２１と上面側ガードユニット部２２と下面側ガードユニット部２３が一体化されて、シート状に形成されたガードユニット１２は、図３及びに図４の（ｃ）示すように、連結部２６ａの部分をヒンジとして後方向に自由に屈曲（折曲）させて、断面概略台形状（山形状）に形成することができる。
【００３９】
そして、このように構成されたガードユニット１２は、図１及び図２に示すようにガード取り付けユニット１１の前面側に取り付けられる。この取り付けでは、前面ガードユニット部２１と上面側ガードユニット部２２と下面側ガードユニット部２３に各々設けられている取付ブラケット２４を、それぞれ対応しているガード取り付けユニット１１の取付ブラケット１８に重ね合わせ、その状態で取付ブラケット２４側から取付孔２５を通って取付ブラケット１８のネジ孔に固定ネジ１７を各々螺合させると、ガードユニット１２をガード取り付けユニット１１に固定して取り付けることができる。これにより、ガード取り付けユニット１１とガードユニット１２とが一体化されて暖房機用保護ガード１０が組み立てられる。なお、このようにして暖房機用保護ガード１０として組み立てられたガードユニット１２は、図３に示すように前面ガードユニット部２１と上面側ガードユニット部２２との間の傾斜角θと前面ガードユニット部２１と下面側ガードユニット部２３との間の傾斜角θが概略１１０〜１５０度となるように設定してある。
【００４０】
そして、このようにして形成された暖房機用保護ガード１０は、ガード取り付けユニット１１に対するガードユニット１２の位置が、暖房機１のルーバーが設けられている温風吹出口２の前側周辺における高温のホットゾーン領域に対応するようにして、ガード取り付けユニット１１における左右のスライド枠体１５，１５を水平方向（暖房機１の左右方向）にスライドさせて調整し、その後、暖房機１の前面である温風吹出口２にガードユニット１２を臨ませ、そのスライド枠体１５,１５に取り付けられた左右のマグネット４,４を暖房機１の枠体３における左右の側面に磁気吸着させると、暖房機１に着脱自在に固定することができる。図１は、このようにして暖房機１に取り付けられた暖房機用保護ガード１０を示している。
【００４１】
したがって、本実施例の暖房機用保護ガード１０は、温風吹き出し型暖房機の温風吹出口２にガード取り付けユニット１１を介して取り付けられる縦格子状に形成されたガードユニット１２を備えてなり、そのガードユニット１２が、ガード取り付けユニット１１を覆って取り付けられ、温風吹出口２と略平行に配設される金属製の前面ガードユニット部２１と、前面ガードユニット部２１の上下端位置にそれぞれ前面ガードユニット部２１に対し外側へ概略１１０〜１５０度拡開傾斜し、前面ガードユニット部２１と共に断面概略台形状にして配設される各々金属製の上面側ガードユニット部２２及び下面側ガードユニット部２３と、前面ガードユニット部２１と上面側ガードユニット部２２及び下面側ガードユニット部２３の各縦バー２１ｃ,２２ｃ,２３ｃの前側表面の周りをそれぞれ覆うとともに前面ガードユニット部２１と上面側ガードユニット部２２との間と前面ガードユニット部２１と下面側ガードユニット部２３との間をそれぞれ連結部２６ａで連結して一体化してなるシリコンゴム材２６と、を備える構成をなし、ガード取り付けユニット１１を介して取り付けられるので、ガード取り付けユニット１１の上下の露出量を少なくすることができる。
【００４２】
これにより、幼児などがガード取り付けユニット１１の前面と上面及び下面に誤って触れて火傷をするのを減らすことができ、安全性の向上が図れる。また、前面ガードユニット部２１と上面側ガードユニット部２２と下面側ガードユニット部２３との間を屈曲（折曲）が容易なシリコンゴム材２６の連結部２６ａで各々連結して一体化し、組込時にはシリコンゴム材２６の連結部２６ａで屈曲させて断面概略台形状をしたガードユニット１２にすることができるので、組立作業が容易になり、また部品点数が減り、コスト低減化に寄与できる。さらに、見た目の構造もコンパクトになり、美観も向上する。
【００４３】
また、ガード取り付けユニット１１が、左右幅方向の長さを調整して暖房機１に取り付け可能であるので、暖房機１の左右の幅方向の長さが異なった場合でも、幅方向の長さを暖房機１の幅に合うように調整し、取り付けて使用することができ、暖房機用保護ガード１０の互換性が向上する。
【００４４】
また、シリコンゴム材２６は、水平断面視において、概略円状に形成された中心部分１２６と、該中心部分１２６の少なくとも前側外周面を前方向に先細状に湾曲させてなる突出部分２２６を、一体に有した形状になっているので、幼児などが前側からガードユニット１２に接触したとき、その先細状になった突出部分で受け、ガードユニット１２との接触面積を少なくして火傷をしにくくすることができる。
【００４５】
さらに、各ガードユニット部２１，２２，２３が、水平に配置される上下１対の横バー２１ａ,２１ｂ、２２ａ,２２ｂ、２３ａ,２３ｂと、その上下１対の横バー２１ａ,２１ｂ、２２ａ,２２ｂ、２３ａ,２３ｂの前側に重ねられて該上下１対の横バー２１ａ,２１ｂ、２２ａ,２２ｂ、２３ａ,２３ｂを連結している複数本の縦バー２１ｃ,２２ｃ,２３ｃとで縦格子状に形成されているとともに、シリコンゴム材２６が縦バー２１ｃ,２２ｃ,２３ｃの少なくとも前側表面を覆い、かつ、縦バー２１ｃ、２２ｃ,２３ｃとの間に連結部２６ａを設けて連結しているので、シリコンゴム材２６は火傷を防止するだけでなく、連結部２６ａがヒンジの機能を果たし、各ガードユニット部２１，２２，２３間にヒンジ部材を設けなくても各ガードユニット部間の屈曲を容易にすることができる。これにより、構造の簡略化が図れる。
【００４６】
なお、本考案は、上記実施形態に限定されるものではなく、本考案の目的を達成できる範囲での変形、改良などは本考案に含まれものである。例えば、上記実施例では、前面ガードユニット部２１と上面側ガードユニット部２２との間の傾斜角θと前面ガードユニット部２１と下面側ガードユニット部２３との間の傾斜角θが概略１１０〜１５０度となるように設定してあるが、この傾斜角θは絶対なものではなく、前面ガードユニット部２１と上面側ガードユニット部２２と下面側ガードユニット部２３の縦方向の長さを変えることによっても変更される。すなわち、前面ガードユニット部２１と上面側ガードユニット部２２と下面側ガードユニット部２３の縦方向の長さも任意に変更されるものである。また、側面のガードユニット部は、上下の面にだけ設けているが、左右の側面にも設けるようにしてもよい。
【符号の説明】
【００４７】
１        暖房機
２        温風吹出口
３      枠体  
４        マグネット
１０      暖房機用保護ガード
１１      ガード取り付けユニット
１２      ガードユニット
１３      水平ガイド基板
１４      固定枠体
１５      スライド枠体
１５ａ    アーム部
１５ｂ,１５ｃ    連結部
１６      固定枠体
１６ａ    天面部
１６ｂ    傾斜部
１６ｃ    連結部
１７      固定ネジ
１８      取付ブラケット
２１      前面ガードユニット部
２１ａ,２１ｂ    横バー（金属棒）
２１ｃ          縦バー（金属棒）
２１Ａ    鉄線ガード
２２      上面側ガードユニット部
２２ａ,２２ｂ    横バー（金属棒）
２２ｃ          縦バー（金属棒）
２２Ａ    鉄線ガード
２３      下面側ガードユニット部
２３ａ,２３ｂ    横バー（金属棒）
２３ｃ          縦バー（金属棒）
２３Ａ    鉄線ガード
２４      取付ブラケット
２５      取付孔
２６      シリコンゴム材
２６ａ    連結部
１２６    中心部分
２２６    突出部分
θ        傾斜角
【図１】
0003201116.tif 000003
【図２】
0003201116.tif 000004
【図３】
0003201116.tif 000005
【図４】
0003201116.tif 000006
【図５】
0003201116.tif 000007
【図６】
0003201116.tif 000008
【図７】
0003201116.tif 000009